(57)【要約】      （修正有）【課題】電子黒板装置の製造時において、筆記シートの装着は面倒であった。電子黒板装置において、容易に筆記シートの着脱を行うことを可能とする。【解決手段】エンドレスに構成された筆記シート２と、この筆記シート２を保持する１対のローラー３と、第１のフレーム５と、第２のフレーム６と、シート着脱用部材８と、前記１対のローラーの内の１つを回転駆動するモータ４と、本体ケース１５とを有する電子黒板装置であって、前記シート着脱用部材８は、弾性部材を介して前記フレーム５，６内に伸縮可能に収納されると共に、前記筆記シート２を着脱する際に、この筆記シート着脱用部材８を前記フレーム５，６内に押し込み、前記フレーム５，６及びシート着脱用部材８の固定用開口に固定ピン１４を挿入することで押し込まれたシート着脱用部材８を前記フレーム５，６に固定することを特徴としている。【選択図】図１
2009100430.tif 000002
【特許請求の範囲】
【請求項１】
エンドレスに構成された筆記シートと、この筆記シートを保持すると共に移送する１対のローラーと、この１対のローラーの一端間を回転可能に支持する第１のフレームと、前記１対のローラーの他端間を回転可能に支持する第２のフレームと、この第１又は第２のフレームに設けられたシート着脱用部材と、前記１対のローラーの内の１つを回転駆動するモータと、本体ケースとを有する電子黒板装置であって、前記シート着脱用部材は、弾性部材を介して前記フレーム内に伸縮可能に収納されると共に、この筆記シート着脱用部材と前記フレームには対応する固定用開口を有し、前記筆記シートを着脱する際に、この筆記シート着脱用部材を前記フレーム内に押し込み、前記フレーム及びシート着脱用部材の固定用開口に固定ピンを挿入することで押し込まれたシート着脱用部材を前記フレームに固定することを特徴とする電子黒板装置。
【請求項２】
前記第１及び第２のフレームを金属材で構成し、前記シート着脱用部材を樹脂材で構成したことを特徴とする請求項１項記載の電子黒板装置。
【請求項３】
前記付着面の非吸着部は、付着面に設けられた複数のスリットであることを特徴とする請求項１項記載の電子黒板装置用補助シート。
【発明の詳細な説明】
【技術分野】
【０００１】本発明は、筆記シートの着脱を容易に行える電子黒板装置に関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。【０００３】電子黒板装置は、本来的に利用者がマーカーによって筆記するものであり、長期の使用により筆記シートが汚れることがある。
しかしながら、従来の電子黒板装置では、筆記シートの取替え作業を容易にするようなことは考慮されておらず、取替え作業は面倒であった。
また、電子黒板装置の製造時においても、筆記シートの装着が面倒であった。【０００４】
【特許文献１】特開２００５−２４６６９１号
【発明の開示】
【発明が解決しようとする課題】
【０００５】上記特許文献１には、図５に示すようなシート構造体１が示されている。
これは、左右に設けられた１対のローラ３と、このローラ３を回転可能に支持する上下１対のフレーム５と、発砲ポリスチレンからなるシートパネル７と、筆記シート２で構成されている。
また、シート構造体から筆記シート取り外すための構造として、図６に示すようなスライダ部材２０を用いることが示されている。【０００６】従来シート構造体１に筆記シート２を装着する場合、このスライダ部材２０をフレーム側に押し込み、フレームに設けられたガイドピン２２にＬ型の開口２１のフック部分にをひっかけることでローラー間に隙間を形成して、筆記シート２を装着している。
しかしながら、このようなスライダ部材２０は、ガイドピン２２をフックさせる部分がフレームの水平中心軸からずれるため、このスライダ部材に支持されたローラーが傾いてしまう。
このため、実際の装置では、Ｌ字の開口ではなく図６（２）に示すように、湾曲した形状の開口としている。
この場合は、スライダ部材を押し込むときに、この湾曲でガイドピンがひっかかり、スムーズに押し込めないという問題がある。
このため、筆記シートの着脱が面倒であった。
【課題を解決するための手段】
【０００７】上記課題を解決するため、本発明は、エンドレスに構成された筆記シートと、この筆記シートを保持すると共に移送する１対のローラーと、この１対のローラーの一端間を回転可能に支持する第１のフレームと、前記１対のローラーの他端間を回転可能に支持する第２のフレームと、この第１又は第２のフレームに設けられたシート着脱用部材と、前記１対のローラーの内の１つを回転駆動するモータと、本体ケースとを有する電子黒板装置であって、前記シート着脱用部材は、弾性部材を介して前記フレーム内に伸縮可能に収納されると共に、この筆記シート着脱用部材と前記フレームには対応する固定用開口を有し、前記筆記シートを着脱する際に、この筆記シート着脱用部材を前記フレーム内に押し込み、前記フレーム及びシート着脱用部材の固定用開口に固定ピンを挿入することで押し込まれたシート着脱用部材を前記フレームに固定することを特徴としている。【０００８】また、前記シート着脱用部材を樹脂材によって構成していることを特徴としている。
【発明の効果】
【０００９】本発明によれば、容易に筆記シートの着脱を行うことが可能となる。
これにより、電子黒板装置の製造工程が容易となり、また、筆記シートの交換が容易となる。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１はシート構造体、２は電子黒板本体の表面において、マーカーによって書き込みを行う筆記シートであり、３はこの筆記シート２の左右両端で、この筆記シート２を保持すると共に、この筆記シート２を移送する１対のローラ、４はこのローラ３を回転駆動するモータ、５はこの１対のローラ３の下端間を回転可能に支持する第１のフレーム、６はこの１対のローラの上端間を回転可能に支持する第２のフレーム、８はこの第２のフレームの１端に設けられた筆記シート着脱用部材である。【００１２】図２に、筆記シート着脱用部材８を示す。
この筆記シート着脱用部材７は、樹脂材によって構成されており、図中右端には、図示しないローラ３を回転可能に指示する軸材９が配置されており、また、他端には、弾性材であるバネ１０を収納するための溝１１が形成されている。
また、上面には、筆記シートを着脱する際に、フレーム６内に固定するための固定用開口１２が設けられている。
この固定用開口１２に対向するように、フレーム６にも固定用開口１３が設けられている。
尚、このフレーム６は、金属材、例えばアルミニウム材で筒状に形成されている。【００１３】図３を用いて、筆記シート着脱用部材８の動作を説明する。
筆記シート着脱用部材８は、筒状のフレーム６内にバネ１０を介して収納される。
尚、フレーム６には、このバネ１０を伸縮させるためのストッパー部分１４が形成されている。
図示しない筆記シートを装着する場合は図３（２）に示すように、筆記シート着脱用部材８を、フレーム６内に押し込み、固定用ピン１４を用いて、前述の固定用開口から挿入することで、筆記シート着脱用部材８はフレーム６内に固定される。
筆記シートを収納した後は、図３（１）に示すように、固定用ピンを外すことにより、バネ１０によって筆記シート着脱用部材８は押し出され、筆記シートはローラ３によって加圧した状態で保持される。【００１４】この実施例のシート構造体１は、フレームがアルミニウム材で形成されているが、これは電子黒板装置の重量の低減のためである。
また、筆記シート着脱用部材８は、樹脂材で形成されているが、これは、フレーム６内に出し入れする際に雑音が発生するのを防止すること、及び製造コストの低減のためである。【００１５】このシート構造体は、図４に示すように、本体ケース１５内に収納され電子黒板装置が構成される。
この電子黒板装置の操作パネル１６に設けられたスイッチを操作することにより、図示しないモータが駆動され、筆記シート２は移送されると共に、装置裏面に配置された読取装置によって、筆記シート２の筆記面が読み取られる。
また、筆記シートの移送によって、本体の裏面に位置していた筆記シートが本体前面に移動し、この面も筆記に利用される。
尚、必要であれば、操作パネル１６の移送スイッチによって、読み取られた面を、再度本体前面に移動させる。【００１６】尚、図示しないが、この電子黒板装置には、プリンタ接続用の接続端子、パソコン接続用の接続端子、及び外部メモリ接続用の接続端子が設けられている。【００１７】本発明の電子黒板装置においては、筆記シートの着脱が容易に行えるため、製造工程が容易となり、コスト低減に寄与する。
また、従来は、電子黒板装置の筆記シートを交換することは、通常行われていなかったが、本発明のような構成を用いることにより、用途に合わせて、種々の筆記シートを装着して使用することが可能となる。
例えば、所定の図形、図表が描かれた筆記シートを装着して用いたり、色の異なる筆記シートを装着して用いることが可能となる。【００１８】本発明は、上述の実施例に限定されるものではなく、例えば、筆記シート着脱用部材の構造は種々変形が可能である。
また、樹脂材ではなく、金属材で形成してもよい。
更に、フレームの構造や、固定用ピンの構造も種々の変形が可能である。
【産業上の利用可能性】
【００１９】本発明は、電子黒板装置の製造及び、筆記シートの着脱が容易となり、電子黒板装置耐用年数を広げることが可能となる。
更に、例えば種々の色や材質のシートを交換して用いることが可能となり、電子黒板装置の利用形態を広げることができる。
【図面の簡単な説明】
【００２０】
【図１】図１は、本発明の実施例の形態に係るシート構造体構成を示す正面図である。
【図２】図２は、本発明の実施例の形態に係る筆記シート着脱用部材の構造を示す正面図である。
【図３】図３は、本発明の実施例の筆記シート着脱用部材の動作を説明するための側面断面図であり、（１）は筆記シートを保持する際の状態を示し、（２）は筆記シートを着脱する際の状態を示している。
【図４】図４は、本発明の実施例のシートを構造体を用いた電子黒板装置全体を示す正面図である。
【図５】図５は、従来のシート構造体を示す斜視図である。
【図６】図６は、従来のシート取外し部材の正面図である。
【符号の説明】
【００２１】２：筆記シート
３：ローラー
４：モーター
５：第１のフレーム
６：第２のフレーム
８：筆記シート着脱用部材
１０：弾性体（バネ）
１２：筆記シート着脱用部材側の固定用開口
１３：フレーム側の固定用開口
【図１】
2009100430.tif 000003
【図２】
2009100430.tif 000004
【図３】
2009100430.tif 000005
【図４】
2009100430.tif 000006
【図５】
2009100430.tif 000007
【図６】
2009100430.tif 000008